(57)【特許請求の範囲】
【請求項１】
対象物に、光源装置から出力される波長の異なる第１及び第２の光を交互に照射して取得される映像信号であって、それぞれ第１及び第２の光による第１及び第２の映像信号が混在した１つの映像ストリームから、映像信号からフレーム画像を抽出する抽出部と、
前記フレーム画像を解析し、該フレーム画像が前記第１及び第２の映像信号がそれぞれ有する特徴のいずれを備えるかを判定することにより、該フレーム画像が第１または第２の映像信号のいずれであるかを判定する検出部と、
前記検出部の検出結果に基づき、前記映像ストリームから第１の映像信号の映像ストリーム及び第２の映像信号の映像ストリームを分離して出力する出力部と、
を有することを特徴とする画像処理装置。
【請求項２】
前記第１及び第２の光は、それぞれ通常光領域及び特殊光領域の光であり、
前記検出部は、前記フレーム画像の色情報のうち、Ｒの値のＧ及びＢの値に対する比率が所定のしきい値を超えるか否かに基づき、該フレーム画像が通常光による映像信号または特殊光による映像信号のいずれに該当するかを判定する
ことを特徴とする請求項１記載の画像処理装置。
【請求項３】
前記第１及び第２の光は、それぞれ通常光領域及び特殊光領域の光であり、
前記検出部は、前記フレーム画像の色情報のうち、輝度Ｙの値が所定のしきい値を超えるか否かに基づき、通常光による映像信号または特殊光による映像信号を識別する
ことを特徴とする請求項１記載の画像処理装置。
【請求項４】
前記第１及び第２の光をそれぞれ出力する第１及び第２の光源装置と、
前記出力部により分離された前記第１及び第２の映像信号の映像ストリームを表示する表示部と、
を更に備える請求項１乃至３のいずれか１項に記載の画像処理装置を有する内視鏡システム。
【発明の詳細な説明】
【技術分野】
【０００１】
本発明は、内視鏡装置にて取得した内視鏡の映像信号を、対象物に照射した光の波長ごとに分離して表示する技術に関する。
【背景技術】
【０００２】
内視鏡システムにおいては、光源装置から発せられた光を内視鏡装置のスコープを通じて対象物である被検体の体腔内に照射し、胃や腸の表面または表面から内部に入り込んだ光の反射光を観察する。観察には、紫外領域から可視領域、及び赤外領域までの光を含む通常光のほかにも、所定の波長領域の光を使用することがある。
【０００３】
通常光を使用する通常光観察においては、被検体の胃や腸等の表面が肌色やピンク色として認識される。その一方で、特殊光を使用する特殊光観察においては、例えば青〜緑側の波長の短い光を観察対象物に照射した場合には、照射した波長の短い光が被検体の表面または表面に近いごく浅い部分にしか届かないことにより、それ以外の部分が目立たなくなる。これにより、特殊光観察画像では、表面の変化を強調したり、表面に近い内部の構造を明確にすることが可能となる。
【０００４】
このように、胃や腸の病変部が強調され、病変特有の内部構造がはっきり画像に表されることから、特殊光観察は、胃がん、大腸がん、食道がん等の早期発見に利用されている。
【０００５】
しかし、特殊光観察においては、使用する波長領域が通常光観察の場合と比べて狭くなるために、得られる画像は、暗いものとなる。このため、内視鏡検査においては、通常光と特殊光との両方を使用して観察を行う。一般的には、図６に例示するように、フィルタにより光源装置から出力される光の波長領域を制限することにより通常光と特殊光とを切り替える構成とし、切り替えを手動で行う場合は、例えば内視鏡装置の利用者である医師が手元の操作部に設けられているボタン等のユーザ操作部等により行う。光源にフィルタがかかっているときは、特殊光観察映像が得られ、フィルタがかかっていないときは、通常光観察映像が得られる。
【０００６】
上記のとおり、特殊光観察によれば、病変部を確認し易くなる。その一方で、特殊光観察では、映像が暗くなるため、検査の開始から終了まで、常に特殊光観察により検査を行うことは難しい。このため、従来においては、通常、医師は、病変と疑われる箇所においては特殊光観察とし、他の箇所については通常光観察を行っている。しかし、実際の医療現場からは、内視鏡検査においては、明るく明瞭な画像の得られる通常光観察映像と、病変部が強調表示された画像の得られる特殊光観察映像との両方を同時に観察可能な技術が求められている。
【０００７】
通常光観察と特殊光観察とを自動的に切り替える公知の技術としては、例えば、生成したタイミング信号にしたがって光源装置から出力される光を通常光または特殊光に切り替えて、通常光映像信号と特殊光映像信号とを得ることについて開示されている（例えば、特許文献１、２）。
【先行技術文献】
【特許文献】
【０００８】
【特許文献１】特開２００４−３２１２４４号公報
【特許文献２】特開２００８−８６７５９号公報
【発明の概要】
【発明が解決しようとする課題】
【０００９】
上記の公知の技術によれば、タイミング信号に応じて光源装置から出力される光を切り替え、通常光観察画像と特殊光観察画像とを並列に出力する。しかし、かかる方法によれば、光源装置から出力される光の切り替えのタイミングと、映像の撮像のタイミングとが一致するようにタイミング制御を行う必要がある。光の切り替えと撮像とでタイミングがずれた場合には、適切に２種類の観察映像を並列に取得することはできない。また、このようなタイミングの制御を適切に行うには、極めて複雑な処理が必要となる。このため、実際上は、上記の公知の技術により２種類の観察映像を同時に取得して並列に表示する技術を実施することには、非常な困難を伴う。
【００１０】
本発明は、照射する光の波長の異なる複数種類の映像信号を、同時に取得した場合であっても、簡便な方法により、波長に応じて分離することのできる技術を提供することを目的とする。
【課題を解決するための手段】
【００１１】
本発明の一態様に係る画像処理装置によれば、対象物に、光源装置から出力される波長の異なる第１及び第２の光を交互に照射して取得される映像信号であって、それぞれ第１及び第２の光による第１及び第２の映像信号が混在した１つの映像ストリームから、映像信号からフレーム画像を抽出する抽出部と、前記フレーム画像を解析し、該フレーム画像が前記第１及び第２の映像信号がそれぞれ有する特徴のいずれを備えるかを判定することにより、該フレーム画像が第１または第２の映像信号のいずれであるかを判定する検出部と、前記検出部の検出結果に基づき、前記映像ストリームから第１の映像信号の映像ストリーム及び第２の映像信号の映像ストリームを分離して出力する出力部と、を有することを特徴とする。
【発明の効果】
【００１２】
本発明によれば、照射する光の波長の異なる複数種類の映像信号を、同時に取得した場合であっても、簡便な方法により、波長に応じて分離することが可能となる。
【図面の簡単な説明】
【００１３】
【図１】実施形態に係る画像処理装置を含む内視鏡システムの全体ブロック図である。
【図２】実施形態に係る内視鏡システムによる観察映像の映像ストリームの分離方法についての全体説明図である。
【図３】内視鏡システムによる各処理段階における観察映像のデータ構成を例示する図である。
【図４】観察画像の種類を判定する第１の方法を説明する図である。
【図５】観察画像の種類を判定する第２の方法を説明する図である。
【図６】従来における観察映像の映像ストリームを表示する技術について説明する図である。
【発明を実施するための形態】
【００１４】
以下、本発明の実施の形態について、図面を参照して詳細に説明する。
図１は、本実施形態に係る画像処理装置を含む内視鏡システムの全体ブロック図である。図１に示す内視鏡システム１００は、ビデオプロセッサ１、スコープ２、光源装置３及びモニタ４を有する。
【００１５】
光源装置３は、通常光観察用光源３１、ＮＢＩ（Narrow Band Imaging、狭帯域光観察）用光源３２、ＮＢＩ用フィルタ３３、光源制御部３４及び光源切替スイッチ部３５を有する。図１に示すように、本実施形態においては、光源装置３は、２台の光源３１、３２を備え、光源制御部３４が、ビデオプロセッサ１からの命令にしたがって、光源切替スイッチ部３５を制御する。光源切替スイッチ部３５は、通常光観察用光源３１またはＮＢＩ用光源３２のいずれか一方から光が出力されるよう、切り替えを行う。
【００１６】
２台の光源３１、３２のうち、ＮＢＩ用光源３２には、ＮＢＩ用フィルタ３３が取り付けられている。これにより、ＮＢＩ用フィルタ３３の取り付けられているＮＢＩ用光源３２から出力する光は、ＲＧＢのうち、Ｇ（緑色）及びＢ（青色）のみに絞られることとなる。
【００１７】
光源装置３は、出力した光を、図１においては不図示のライトガイドケーブルを通じてスコープ２に伝送する。
スコープ２は、観察対象５すなわち被検体の体腔内に挿入されて、光源装置３から供給された光を、照射口２１を通じて観察対象５に照射する。レンズ２２は、観察対象５に照射した光の反射光を結像し、ＣＣＤ（Charge Coupled Device）２３は、これを電気信号に変換してビデオプロセッサ１に出力する。スコープ制御部２４は、ＣＣＤ２３の駆動タイミングの制御等を行う。
【００１８】
ビデオプロセッサ１は、プロセッサ１０とＦＰＧＡ（field-programmable gate array）６、８とを統合させて構成され、スコープ２で取得した映像信号を処理し、モニタ４に出力する。本実施形態においては、ビデオプロセッサ１は、ボタン等からなるユーザ操作部７を介してその旨が設定された場合には、通常光観察の映像ストリームとＮＢＩの映像ストリームとが混在する映像ストリームの入力を受け付け、これを分離して、同時に２種類の観察映像を並列にモニタ４に出力することができる。
【００１９】
プロセッサ１０は、共有メモリ１１、フロントエンド処理部１２、画像処理部（図１においてはＩＳＰ（Image Signal Prosessing）処理部）１３、メモリ１４、システム制御部１５、映像合成処理部１６及びバックエンド処理部１７を有し、ＦＰＧＡ６から入力された映像信号に必要な処理を施して、ＦＰＧＡ８を通じてモニタ４に出力する。
【００２０】
このうち、共有メモリ１１は、ＦＰＧＡ６から入力されたＲＡＷデータ（映像ストリーム）を一時的に保持しておき、フロントエンド処理部１２にＲＡＷデータを渡す。詳しくは後述するが、ユーザ操作部７により光源装置３の出力を切り替え、通常光観察映像とＮＢＩ映像との両方を交互に撮影する撮影モードが設定されている場合は、プロセッサ１０に入力されるＲＡＷデータは、２種類の観察映像信号が混在している。複数種類（実施例では２種類）の観察映像信号が混在した映像ストリームを取得する撮影モードを、以下においては、「並列撮影モード」という。
【００２１】
フロントエンド処理部１２は、画像処理部１３において画像処理を行う際の前段処理を実行する。例えば、モニタ４に表示するために画像サイズの縮小や拡大等の処理を実行する。
【００２２】
画像処理部１３は、フロントエンド処理部１２にて必要な前段処理を施した映像信号に対し、必要な画像処理を施す。画像処理部において実行する画像処理の詳細については、公知の技術であるので詳細な説明は省略する。また、画像処理部１３は、撮影モードが上記の撮影モードに設定されている場合は、入力された映像ストリームから、フレーム画像を抽出する。そして、画像処理部１３は、各フレーム画像を解析し、そのフレーム画像がそれぞれの観察映像の映像信号が有する特徴のいずれを備えるかに基づき、通常光観察の映像ストリームまたはＮＢＩの映像ストリームのいずれに含まれるものであるかを判定する。そして、画像処理部１３は、撮影モードが上記の並列撮影モードに設定されている場合は、通常光観察の映像ストリームと、ＮＢＩの映像ストリームとに分離し、映像合成処理部１６に出力する。
【００２３】
映像合成処理部１６は、画像処理部１３が出力した映像ストリームを合成して、モニタ４に表示する映像を作成する。具体的には、内視鏡映像や、内視鏡映像以外のモニタ４に表示させる情報、例えば、患者情報、年月日や時刻その他各種の検査に関する情報を、それぞれ画面上の所定の位置に配置した映像を作成する。映像合成処理部１６は、作成したモニタ４表示用の映像信号を、バックエンド処理部１７に出力する。
【００２４】
なお、実施例では、画像処理部１３において観察映像の種類ごとに２つの映像ストリームに分離する構成としているが、これには限定されない。例えば、画像処理部１３においては、フレーム画像ごとに、そのフレーム画像が２種類の観察映像のうちいずれに含まれるかを示す情報を付与しておき、映像合成処理部１６においてこの情報を参照することにより、２つの映像ストリームに分離する構成としてもよい。
【００２５】
バックエンド処理部１７は、モニタ４表示用の映像信号に対してインターレース／プログレッシブ変換等の必要な処理を実行し、後段のＦＰＧＡ８に出力する。こうして、スコープ２で撮影した内視鏡映像が、ＦＰＧＡ８を通じてモニタ４に出力される。
【００２６】
モニタ４は、ビデオプロセッサ１から入力された映像信号に必要な処理を施し、画面上に映像を表示させる。
このように、本実施形態に係る内視鏡システム１００によれば、並列撮影モードが設定されている場合は、光源装置３が、波長が互いに異なる光を交互に出力する。ビデオプロセッサ１の画像処理部１３は、並列撮影モードにおいては、スコープ２から入力された２種類の観察映像が混在する映像ストリームを解析し、観察映像の種類ごとに分離し、モニタ４に出力する。モニタ４は、ビデオプロセッサ１から受信した２つの映像ストリームを、同時に出力表示することができる。
【００２７】
なお、図１においては１台のモニタ４に２つの映像を並列に表示する場合を例示しているが、これに限定されるものではない。例えば、ビデオプロセッサ１が２台のモニタ４Ａ、４Ｂと接続され、モニタ４Ａ、４Ｂのそれぞれに各観察映像の映像ストリームを出力する構成とすることもできる。かかる構成によれば、ビデオプロセッサ１は、通常光観察映像用の画像処理部１３ＡとＮＢＩ映像用の画像処理部１３Ｂとを備える。各画像処理部１３は、それぞれの後段の映像合成処理部１６Ａ、１６ＢやＦＰＧＡ８Ａ、８Ｂ等を通じてそれぞれのモニタ４Ａ、４Ｂに自装置にて検出した観察映像の映像ストリームを出力することとなる。
【００２８】
図２は、本実施形態に係る内視鏡システム１００による観察映像の映像ストリームの分離方法についての全体説明図であり、図３は、内視鏡システム１００による各処理段階における観察映像のデータ構成を例示する図である。図２及び図３を参照して、ビデオプロセッサ１において、スコープ２から入力された２種類の観察映像が混在する映像ストリームを観察映像の種類により分離し、モニタ４に同時に並列で表示させる方法について、具体的に説明する。
【００２９】
上記のとおり、ユーザ操作部７を介して設定された撮影モードに応じて、光源装置３の光源制御部３４は、切替スイッチ部３５に切替制御信号を送信する。ユーザによって通常光観察映像またはＮＢＩ映像のうちいずれか一方を撮影するモードが選択された場合には、光源制御部３４は、光源３１、３２のうち、一方の撮影モードに対応する方を選択する旨の切替制御信号を生成し、切替スイッチ部３５に送信する。上述の並列撮影モードが選択された場合には、光源制御部３４は、通常光観察用光源３１及びＮＢＩ用光源３２の間で接続先を高速に切り替える旨の切替制御信号を生成し、切替スイッチ部３５に送信する。切替スイッチ部３５は、光源制御部３４から受信した切替制御信号にしたがって、接続先の光源を決定し、並列撮影モードが設定されている場合は、２台の光源３１、３２の間で高速に接続先の切り替えを行う。
【００３０】
なお、通常光観察またはＮＢＩのいずれか一方の撮影モードが設定されている場合については、切替スイッチ部３５により２台の光源３１、３２のうち撮影モードに応じた光源を接続先に設定する点以外については従来と同様である。このため、以下においては、従来技術に係わる説明は省略し、並列撮影モードが設定されている場合の内視鏡システム１を構成する各装置の動作を中心に説明することとする。
【００３１】
切替スイッチ部３５が、通常光観察用光源３１とＮＢＩ用光源３２とで接続先を高速で切り替えると、スコープ２の撮像部が取得する各フレームの画像は、通常光観察画像ＩＯまたはＮＢＩ画像ＩＮのいずれかである。スコープ２からビデオプロセッサ１に入力される映像ストリームＳには、通常光観察画像ＩＯとＮＢＩ画像ＩＮが混在することとなる。なお、図２では、図１のレンズ２２及びＣＣＤ２３をスコープ２の「撮像部」としている。
【００３２】
図２の映像検出部１９は、ビデオプロセッサ１の画像処理部１３の構成の一つである。映像検出部１９は、各フレーム画像Ｉのうち、「映像データ」のフィールドを解析して、それが通常光観察画像ＩＯであるのかＮＢＩ画像ＩＮであるのかを判定する。フレーム画像Ｉの「映像データ」に基づき、どのようにしてその画像Ｉが通常光観察画像ＩＯあるいはＮＢＩ画像ＩＮのいずれであるかを判定するかについては、後に、図４及び図５を参照して説明することとする。
【００３３】
画像処理部１３は、画像処理部１３内の映像検出部１９において、いずれの観察画像であるかを判定する映像検出処理を実行すると、処理結果にしたがって、各フレーム画像Ｉを、通常光観察映像ストリームＳＯ及びＮＢＩ映像ストリームＳＮに振り分ける。このようにして、２つに分離された各映像ストリームＳＯ、ＳＮは、同時にそれぞれモニタ４Ａ、４Ｂに表示される。図１の説明においても述べたように、１台のモニタ４に２種類の観察映像を並べて表示する構成としてもよい。
【００３４】
なお、本実施形態においては、光源装置３の切替スイッチ部３５が２つの光源３１、３２の切り替えを行うタイミングと、スコープ２のＣＣＤ２３が撮像を行うタイミングとは、同期を取っていない。このため、図２や図３に例示するように、２種類の観察映像が交互に取得されるとは限らない。そこで、画像処理部１３の映像検出部１９は、フレーム画像Ｉごとに解析を行い、フレーム画像Ｉごとに、それぞれ通常光観察画像ＩＯまたはＮＢＩ画像ＩＮのいずれであるのかを判定していく必要がある。これについて、図４及び図５を参照して説明する。
【００３５】
図４は、観察画像の種類を判定する第１の方法を説明する図である。
第１の方法によれば、フレーム画像の色に関する特徴を利用して、そのフレーム画像の種類を判定する。具体的には、画像処理部１３の映像検出部１９は、画像処理部１３に入力される映像ストリームＳのフレーム画像ごとにＲＡＷデータをデモザイク処理し、各ピクセルごとに色データ（ＲＧＢフォーマット）を得る。そして、得られた色データ（ＲＧＢ）を用いて、そのフレーム画像が通常光観察画像ＩＯまたはＮＢＩ画像ＩＮのいずれであるかを判定する。
【００３６】
一般的に、図４に模式的に示すように、ＮＢＩ画像ＩＮのピクセルＰＮであれば、Ｒ（赤色）に対し、Ｇ（緑色）及びＢ（青色）が強くなる一方で、通常光観察画像ＩＯのピクセルＰＯであれば、ＲがＧやＢよりもやや強くなる。この特徴を利用して、フレーム画像の全てのピクセルのＲＧＢデータから、Ｒ、Ｇ及びＢの各値を求め、ＲのＧやＢに対する比率を所定のしきい値と比較する。
【００３７】
ＲのＧやＢに対する比率が当該しきい値を超える場合には、そのフレーム画像は、通常光観察映像ストリームＳＯに含まれるものであると判断する。ＲのＧやＢに対する比率が当該しきい値以下である場合には、そのフレーム画像は、ＮＢＩ映像ストリームＳＮに含まれるものであると判断する。
【００３８】
例えばフルＨＤであれば、１９２０×１０８０ピクセル＝２,０７３,６００ピクセルをＲＧＢデータに変換する。そして、全てのピクセルのＲ、Ｇ及びＢについて、例えば合計値や平均値を求めて上記の比較を行い、２種類の映像ストリームＳＯまたはＳＮのいずれに含まれるフレーム画像であるかを判定する。
【００３９】
このように、通常光観察映像とＮＢＩ映像とで明確に異なるＲＧＢデータの特徴を利用することで、簡便に観察映像の種類ごとに映像ストリームを分離することが可能となる。
【００４０】
図５は、観察画像の種類を判定する第２の方法を説明する図である。
第２の方法によれば、フレーム画像の輝度に関する特徴を利用して、そのフレーム画像の種類を判定する。具体的には、画像処理部１３の映像検出部１９は、画像処理部１３に入力される映像ストリームＳのフレーム画像ごとに、上記のＲＡＷデータについてデモザイク処理して得られたＲＧＢフォーマットの色データを更にＹＵＶフォーマットに変換する。そして、得られた色データ（ＹＵＶ）を用いて、そのフレーム画像が通常光観察画像ＩＯまたはＮＢＩ画像ＩＮのいずれであるかを判定する。
【００４１】
一般的に、ＮＢＩ等の特殊光では、一部の波長の光しか照射されないため、特殊光観察映像は、通常光観察映像と比較して、全体的に暗い映像となる。この特徴を利用して、フレーム画像の各ピクセルの色データ（ＹＵＶ）の中から、Ｙ（輝度）のデータを抽出し、Ｙが所定のしきい値と比較する。Ｙの値が当該しきい値を超える場合には、そのフレーム画像は、相対的に明るい映像、すなわち、通常光観察映像ストリームＳＯに含まれるものであると判断する。Ｙの値は、ＩＴＵ−Ｒ  ＢＴ７０９では、１６≦Ｙ≦２３５である。この範囲内で、適切なしきい値を設定する。
【００４２】
Ｙの値が当該しきい値以下である場合には、そのフレーム画像は、相対的に暗い映像、すなわち、ＮＢＩ映像ストリームＳＮに含まれるものであると判断する。上記のとおり、実施例では、ＲＡＷデータをデモザイク処理して得られるＲＧＢフォーマットの色データを、公知の計算式によりＹＵＶフォーマットに変換する。得られたＹＵＶフォーマットのデータを用いて、Ｙの合計値や平均値より上記比較を行い、２種類の映像ストリームＳＯまたはＳＮのいずれに含まれるフレーム画像であるかを判定し、分離して出力する。ＹＵＶフォーマットへの変換については、映像検出部１９以外の構成がこれを実行し、変換後のＹＵＶデータを映像検出部１９に与える構成としてもよい。
このように、通常光観察映像とＮＢＩ映像とで明確に異なるＹ（輝度）の特徴を利用することで、簡便に観察映像の種類ごとに映像ストリームを分離することが可能となる。
【００４３】
このように、本実施形態に係る内視鏡システム１００によれば、光源装置３は、観察対象５である被検体に、波長の異なる通常光及び特殊光（狭帯域光）を交互に照射する。スコープ２は、通常光観察映像及びＮＢＩ映像の２種類の映像信号が混在する１つの映像ストリームを取得する。ビデオプロセッサ１の画像処理部１３（の映像検出部１９）は、スコープ２から入力された当該映像ストリームを構成する各フレーム画像について、通常光観察映像信号及びＮＢＩ映像信号のいずれの特徴を備えるかを判定する。これにより、画像処理部１３（の映像検出部１９）は、各フレーム画像が通常光観察映像信号またはＮＢＩ映像信号のいずれであるかを判定する。こうして、判定された観察映像の種類ごとに、２つの映像ストリームに分離して出力する。したがって、光の波長の異なる複数種類の内視鏡の映像信号を、波長を交互に切り替えて同時に取得した場合であっても、タイミング制御等の複雑な処理を要することなく、簡便な方法により、照射した光の波長に応じて、すなわち観察映像の種類に応じて、分離して並列に出力することが可能となる。
【００４４】
なお、図１等においては、光源装置３は２台の光源３１、３２を備え、光源３２にはＮＢＩ用フィルタ３３が取り付けられてそれぞれの光源が異なる波長の光を出力する構成を例に説明しているが、これに限定されるものではない。例えば、光源装置３は光源を１台のみ備え、光路上にＮＢＩ用フィルタを挿脱する制御を行って、通常光観察映像及びＮＢＩ映像を含む映像ストリームを取得する構成であってもよい。ビデオプロセッサ１は、入力された映像ストリームに対して上記と同様の処理を実施することにより、観察映像の種類により分離することができる。
【００４５】
また、上記の説明においては、内視鏡検査や内視鏡手術において、スコープ２で取得した映像をリアルタイムでモニタ４に表示するときに映像ストリームを観察映像の種類により分離して表示する方法について述べているが、これに限定されるものではない。例えば、光源装置３を波長の異なる２台の光源３１、３２で切り替えて同時に２つの観察映像についての映像ストリームを取得してこれを記憶部等に記憶しておき、のちにこれを再生するときに、再生装置において、上記の方法により映像ストリームを観察映像の種類により分離して表示する方法に適用することも可能である。
【００４６】
また、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００４７】
１      ビデオプロセッサ
２      スコープ
３      光源装置
４      モニタ
５      観察対象（被検体）
１０    プロセッサ
１３    画像処理部（ＩＳＰ処理部）
１９    映像検出部
３４    光源制御部
３５    光源切替スイッチ部
１００  内視鏡システム
【図１】
0006042798.tif 000002
【図２】
0006042798.tif 000003
【図３】
0006042798.tif 000004
【図４】
0006042798.tif 000005
【図５】
0006042798.tif 000006
【図６】
0006042798.tif 000007